(57)【要約】【課題】従業者が受付登録順を考慮しつつ、空いた席に効率よく順番待ち客を案内できるように支援する。【解決手段】施設における順番待ちを管理する情報処理システムであって、順番待ちを登録した利用者の順番待ちのステータスを管理する順番管理サーバと、順番が到来した利用者に対して割り当てる設備の利用状況の情報を含む設備状況データを管理する設備状況管理サーバと、を備え、順番管理サーバは、設備状況サーバから定期的に設備状況データを取得する設備状況データ取得部と、設備状況データに基づいて、利用が終了した空き設備を抽出する空き設備抽出部と、各順番待ち組が指定した設備の条件と、順番待ちの登録順に基づいて、空き設備を割り当てる順番待ち組を選択する順番待ち組選択部と、選択された順番待ち組と割り当てる空き設備の組み合わせの情報を通知する通知部とを備える。【選択図】図４
2019003435.tif 000002
【特許請求の範囲】
【請求項１】
施設における順番待ちを管理する情報処理システムであって、
順番待ちを登録した利用者の順番待ちのステータスを管理する順番管理サーバと、
順番が到来した利用者に対して割り当てる設備の利用状況の情報を含む設備状況データを管理する設備状況管理サーバと、を備え、
前記順番管理サーバは、
前記設備状況サーバから定期的に前記設備状況データを取得する設備状況データ取得部と、
前記設備状況データに基づいて、利用が終了した空き設備を抽出する空き設備抽出部と、
各順番待ち組が指定した設備の条件と、順番待ちの登録順に基づいて、前記空き設備を割り当てる順番待ち組を選択する順番待ち組選択部と、
選択された順番待ち組と割り当てる空き設備の組み合わせの情報を通知する通知部と、を備えた情報処理システム。
【請求項２】
前記設備の利用状況の情報は会計情報を含み、
前記空き設備抽出部は、
前記会計情報に基づいて、会計が終了した設備を抽出する、請求項１に記載の情報処理システム。
【請求項３】
前記順番待ち組選択部は、
登録されている順番待ち組の中から、指定した設備の種類が前記空き設備の種類と一致する順番待ち組のうち、登録順が最も早い順番待ち組を選択する、請求項１または２に記載の情報処理システム。
【請求項４】
前記順番待ち組選択部は、
登録されている順番待ち組の中から、指定した設備の種類が前記空き設備の種類と一致し、且つ各順番待ち組の人数が前記空き設備の利用可能人数以下である順番待ち組のうち、登録順が最も早い順番待ち組を選択する、請求項１から３のいずれか１項に記載の情報処理システム。
【請求項５】
前記通知部は、
前記施設の従業者が順番待ちのステータスを管理するために利用する、順番待ち組の一覧が表示された管理端末上で、前記選択された順番待ち組の欄に、前記割り当てる空き設備の情報を表示する、請求項１から４のいずれか１項に記載の情報処理システム。
【請求項６】
施設における順番待ちを管理する順番管理装置であって、
順番待ちを登録した利用者の順番待ちのステータスを管理する順番待ち状況管理部と、
順番が到来した利用者に対して割り当てる設備の利用状況の情報を含む設備状況データを管理する設備状況管理サーバから、定期的に前記設備状況データを取得する設備状況データ取得部と、
前記設備状況データに基づいて、利用が終了した空き設備を抽出する空き設備抽出部と、
各順番待ち組が指定した設備の条件と、順番待ちの登録順に基づいて、前記空き設備を割り当てる順番待ち組を選択する順番待ち組選択部と、
選択された順番待ち組と割り当てる空き設備の組み合わせの情報を通知する通知部と、を備えた順番管理装置。
【請求項７】
施設における順番待ちを管理するコンピュータを、
順番待ちを登録した利用者の順番待ちのステータスを管理する順番待ち状況管理部と、
順番が到来した利用者に対して割り当てる設備の利用状況の情報を含む設備状況データを管理する設備状況管理サーバから、定期的に前記設備状況データを取得する設備状況データ取得部と、
前記設備状況データに基づいて、利用が終了した空き設備を抽出する空き設備抽出部と、
各順番待ち組が指定した設備の条件と、順番待ちの登録順に基づいて、前記空き設備を割り当てる順番待ち組を選択する順番待ち組選択部と、
選択された順番待ち組と割り当てる空き設備の組み合わせの情報を通知する通知部と、して機能させるプログラム。
【発明の詳細な説明】
【技術分野】
【０００１】
本発明は、情報処理システム、順番管理装置、およびプログラムに関する。
【背景技術】
【０００２】
従来、レストランや店舗、病院、銀行、役所等においては、そのサービスを待つ顧客の順番待ちを管理するために、種々の順番管理システムが採用されている。
【０００３】
例えば、特許文献１には、順番待ちのできる複数の施設に対して同時に予約管理サービスを提供する予約管理システムが記載されており、ユーザは、Ｗｅｂや、電話や、店頭端末から順番待ち予約の申し込みをできることが記載されている。
【先行技術文献】
【特許文献】
【０００４】
【特許文献１】特開２００５−５０００２号公報
【発明の概要】
【発明が解決しようとする課題】
【０００５】
従来の順番管理システムにおいては、従業者は、順番待ちをしている客の数や受付順などを管理することはできた。しかし、待ち客の案内に関しては、従業者が実際に店内の空席の種類や利用可能人数を確認し、待ち客の希望席種や人数、受け付け順を考慮して適切に案内を行う必要があった。特に、様々な種類や容量の座席がある店舗では、受付順を考慮しながら効率的に待ち客を案内することは従業者にとって負担の大きい作業であった。
【０００６】
本発明は、以上説明した事情を鑑みてなされたものであり、従業者が受付登録順を考慮しつつ、空いた席に効率よく順番待ち客を案内できるように支援することを目的の一つとする。
【課題を解決するための手段】
【０００７】
本発明の一実施形態に係る情報処理システムは、施設における順番待ちを管理する情報処理システムであって、
順番待ちを登録した利用者の順番待ちのステータスを管理する順番管理サーバと、
順番が到来した利用者に対して割り当てる設備の利用状況の情報を含む設備状況データを管理する設備状況管理サーバと、を備え、
前記順番管理サーバは、
前記設備状況サーバから定期的に前記設備状況データを取得する設備状況データ取得部と、
前記設備状況データに基づいて、利用が終了した空き設備を抽出する空き設備抽出部と、
各順番待ち組が指定した設備の条件と、順番待ちの登録順に基づいて、前記空き設備を割り当てる順番待ち組を選択する順番待ち組選択部と、
選択された順番待ち組と割り当てる空き設備の組み合わせの情報を通知する通知部と、を備えたものである。
【０００８】
また、前記設備の利用状況の情報は会計情報を含み、
前記空き設備抽出部は、
前記会計情報に基づいて、会計が終了した設備を抽出するようにしてもよい。
【０００９】
また、前記順番待ち組選択部は、
登録されている順番待ち組の中から、指定した設備の種類が前記空き設備の種類と一致する順番待ち組のうち、登録順が最も早い順番待ち組を選択するようにしてもよい。
【００１０】
また、前記順番待ち組選択部は、
登録されている順番待ち組の中から、指定した設備の種類が前記空き設備の種類と一致し、且つ各順番待ち組の人数が前記空き設備の利用可能人数以下である順番待ち組のうち、登録順が最も早い順番待ち組を選択するようにしてもよい。
【００１１】
また、前記通知部は、
前記施設の従業者が順番待ちのステータスを管理するために利用する、順番待ち組の一覧が表示された管理端末上で、前記選択された順番待ち組の欄に、前記割り当てる空き設備の情報を表示するようにしてもよい。
【発明の効果】
【００１２】
本発明によれば、従業者が受付登録順を考慮しつつ、空いた席に効率よく順番待ち客を案内できるように支援することができる。
【図面の簡単な説明】
【００１３】
【図１】本発明の実施形態に係る情報処理システム１０００の概略構成を示す図。
【図２】本発明の実施形態に係る順番管理端末２００の主要構成を示すブロック図。
【図３】本発明の実施形態に係る情報処理システム１０００における順番待ちの受付登録処理のフローチャート。
【図４】本発明の実施形態に係る順番管理サーバ１００とＰＯＳサーバ３００との連携処理のシーケンス図。
【図５】本発明の実施形態に係る順番管理端末２００のステータス管理画面を例示する図。
【発明を実施するための形態】
【００１４】
以下、本発明の実施形態について図面を参照しつつ詳細に説明する。なお、同一の要素には同一の符号を付し、重複する説明を省略する。
【００１５】
本実施形態では、レストランＡにおける順番待ち管理の例について説明するが、その他、アミューズメント施設、ショッピングモール、デパート、修理専門店、銀行、旅行代理店など、施設利用者の順番待ちの管理を行うあらゆる施設に適用できる。
【００１６】
図１は、本実施形態に係る情報処理システム１０００の概略構成を示す図である。図１に示すように情報処理システム１０００は、管理センター等に設置された順番管理サーバ（順番管理装置）１００と、施設の入口付近などに設置された順番管理端末２００と、ＰＯＳ（Point of sales:販売時点情報管理）サーバ（設備状況管理サーバ）３００と、ＰＯＳレジ端末４００を含んでいる。順番管理サーバ１００は、順番管理端末２００、およびＰＯＳサーバ３００と通信ネットワークＮを介して接続されている。
【００１７】
順番管理サーバ１００は、順番管理端末２００を介して登録される順番待ちを施設毎に管理する。図１の例では、１つの施設の順番管理端末２００のみが図示されているが、順番管理サーバ１００は、実際には複数の施設に設置されている順番管理端末２００と通信ネットワークＮで接続され、各施設の順番待ちを管理している。順番管理サーバ１００は、汎用的なコンピュータによって構成され、そのコンピュータにおいて所定のサーバ用プログラムが動作することにより、サーバ機能を実現する。順番管理サーバ１００を構成するコンピュータは、必ずしも１台である必要はなく、通信ネットワークＮ上に分散する複数のコンピュータから構成されてもよい。
【００１８】
順番管理サーバ１００は、施設ごとに順番管理端末２００を管理するための管理データベース１１０と、プロセッサ（順番待ち状況管理部、設備状況データ取得部、空き設備抽出部、順番待ち組選択部、通知部）１２０と、を備えている。管理データベース１１０は、クライアント管理テーブルＴＡ１と、ステータス管理テーブルＴＡ２と、座席情報管理テーブルＴＡ３を備えている。
【００１９】
クライアント管理テーブルＴＡ１には、施設毎に、順番管理端末２００に対して付与されている固有のＩＤとパスコード（アカウント）が登録されている。クライアント管理テーブルＴＡ１の１レコードには、例えば「レストランＡ」のレコードとして、「ＩＤ：Ａ１・・・」、「パスコード：ＡＡ２・・・」等が設定されている。これらの情報は、例えば、システム導入の際に各施設で順番待ちの管理を行う管理者（例えば、施設のオーナーなど）によって設定される。なお、１施設で複数の順番管理端末２００を利用する場合には、同一のＩＤとパスコードを利用してもよいが、例えば所定の条件に従い、複数のＩＤとパスワードを使い分けるようにしてもよい。
【００２０】
ステータス管理テーブルＴＡ２には、各施設での順番待ちリストが登録されている。この順番待ちリストは、順番待ちをしている者（順番待ち組）の一覧と、各々の順番待ち組の待ち状況をあらわす情報（ステータス情報）が含まれる。順番待ちリストの１レコードには、受付番号「１」、受付時刻「１３：０３」、待ち項目「テーブル席」、人数「３」、ステータス「呼出中」等の情報が含まれている。その他、氏名、連絡先のメールアドレス、電話番号などの情報も含むことができる。
【００２１】
ステータスには、順番到来前の状態である「待ち中」、順番が来たことを知らせた状態である「呼出中」、順番が来た者を実際に座席等に案内した状態である「案内済」、さらに順番待ちをキャンセルした状態である「取消済」等が含まれる。ステータスとしてどのような項目を設定するかは各施設の管理者等が適宜設定および変更可能となっている。
【００２２】
待ち項目は、受付登録時に選択が可能な受付項目の情報であり、レストランＡの場合、利用者は待ち項目として席の種類を選択することができる。ここでは、席の種類として「テーブル席」、「カウンター席」、「テラス席」、「個室」が設定されている。
【００２３】
なお、順番待ちリストに含める情報は、各施設の管理者等が適宜設定および変更可能となっている。順番待ちリストの内容は、順番管理端末２００から送信される順番待ちリストへの新規登録情報、またはステータスの更新情報（詳細は後述）に基づいて更新される。
【００２４】
座席情報管理テーブルＴＡ３には、各施設における座席（設備）の種類や利用可能人数の情報が登録されている。具体的には、１レコードに、座席番号「０１」、席の種類「テーブル席」、利用可能人数「４」等の情報が含まれている。
【００２５】
プロセッサ１２０は、算術演算、論理演算、ビット演算等を処理する算術論理演算ユニット（ＣＰＵなど）および各種レジスタから構成され、ＲＯＭ等の記憶手段に格納されている各種プログラムを実行することで順番管理サーバ１００の各部を中枢的に制御する。また、プロセッサ１２０は、順番管理端末２００と連携して順番待ちを管理するためのコンピュータプログラム（順番管理アプリケーション）も実行する。
【００２６】
通信ネットワークＮは、順番管理サーバ１００と順番管理端末２００との間などで、相互に情報を送受信可能な通信網を含む。通信ネットワークＮは、例えば、インターネット、ＬＡＮ、専用線、電話回線、企業内ネットワーク、移動体通信網、ブルートゥース（登録商標）、ＷｉＦｉ（Wireless Fidelity）、その他の通信回線、それらの組み合わせ等のいずれであってもよく、有線であるか無線であるかを問わない。
【００２７】
順番管理端末２００は、タブレット端末や、パーソナルコンピュータ（ＰＣ）、ノートＰＣ、スマートフォン、携帯電話機、携帯情報端末（ＰＤＡ）など、通信ネットワークＮを介して順番管理サーバ１００とデータの授受が可能なあらゆる端末装置を利用することができる。なお、順番管理端末２００は、１施設で複数台利用することもできる。
【００２８】
図２は、順番管理端末２００の主要構成を示すブロック図である。順番管理端末２００は、プロセッサ２１０と、入力装置２１５と、表示装置２１６と、通信インタフェース２２０と、記憶資源２３０を備える。順番管理端末２００は、施設に来た利用者や、施設の従業者がタッチパネルなどの入力装置２１５を操作することで、順番待ちリストへの登録や更新等の入力を受け付ける。
【００２９】
プロセッサ２１０は、算術演算、論理演算、ビット演算等を処理する算術論理演算ユニット（ＣＰＵなど）および各種レジスタから構成され、記憶資源２３０に格納されている各種プログラムを実行することで順番管理端末２００の各部を中枢的に制御する。各種レジスタは、例えば、プログラムカウンタ、データレジスタ、命令レジスタ、汎用レジスタ等である。
【００３０】
入力装置２１５は、順番待ちリストへの受付や順番待ちリストからの消込み等の入力を受け付けるための各種操作ボタンやタッチパネル２１５ａを備えている。
【００３１】
表示装置２１６は、順番待ちリストや、受付画面やステータス管理画面を表示するための装置であり、例えば液晶ディスプレイにより構成される。
【００３２】
通信インタフェース２２０は、通信ネットワークＮに接続し、通信ネットワークＮを介して他の装置と通信をするためのハードウェアモジュールである。通信インタフェース２２０は、例えば、ＩＳＤＮモデム、ＡＤＳＬモデム、ケーブルモデム、光モデム、ソフトモデム等の変調復調装置である。
【００３３】
記憶資源２３０は、例えば、物理デバイスの記憶領域が提供する論理デバイスである。物理デバイスは、例えば、ディスクドライブまたは半導体メモリ（ＲＯＭ、ＲＡＭなど）等のコンピュータ読み取り可能な記録媒体である。記憶資源２３０は、複数の物理デバイスを１つの論理デバイスにマッピングして構築してもよいし、１つの物理デバイスを複数の論理デバイスにマッピングして構築してもよい。
【００３４】
記憶資源２３０には、オペレーティングシステムプログラム、ドライバプログラム、各種データ等が格納される。ドライバプログラムとしては、例えば、通信インタフェース２２０を制御するための通信インタフェースドライバプログラム等がある。また、記憶資源２３０には、これら各種プログラムや各種データのほか、プロセッサ２１０が実行することにより、順番管理サーバ１００と連携して順番待ちを管理するためのコンピュータプログラム（順番管理アプリケーション）ＡＰ１が記憶されている。
【００３５】
ＰＯＳサーバ３００は各施設におけるＰＯＳデータ（設備状況データ）を管理するサーバである。ＰＯＳデータには、ＯＥＳ（オーダーエントリーシステム）のデータと、ＰＯＳレジ端末４００から送信されるレジのデータが含まれる。ＰＯＳサーバ３００は、汎用的なコンピュータによって構成され、そのコンピュータにおいて所定のサーバ用プログラムが動作することにより、サーバ機能を実現するものである。ＰＯＳサーバ３００は、プロセッサ３１０と、通信インタフェース３２０と、記憶資源３３０とを備える。
【００３６】
本実施形態では、順番管理サーバ１００が、ＰＯＳサーバ３００から会計が終了した席の情報を取得し、順番待ち組の案内を行う際に利用する。
【００３７】
（順番待ちの受付登録）
まず、順番管理サーバ１００による順番待ちの受付登録処理について図３のフローチャートを用いて説明する。施設（ここでは、レストランＡ）に来訪した利用者は、施設に設置された順番管理端末２００を操作して、受付登録を行うことができる。
【００３８】
まず、順番管理端末２００は通信インタフェース２２０を介して、順番管理サーバ１００からステータス管理テーブルＴＡ２に登録されている順番待ちリストに含まれる情報を受信する（ステップＳ３１）。
【００３９】
次に、順番管理端末２００は、順番待ちの受付をするための受付画面を表示装置２１６に表示させる（ステップＳ３２）。受付画面には、例えば、順番待ちリストの情報（順番待ちをしている者の受付番号と現在のステータス情報）が、受付をした順番に時系列に並べられた一覧が表示される。さらに、現在順番待ちをしている待ち組数なども表示される。
【００４０】
表示された受付画面に対して利用者が所定の操作入力を行い、順番待ちの受付に必要な情報（待ち項目、利用人数、呼出（電話又はメール）の希望の有無、呼出時の連絡先の電話番号またはメールアドレス等）の入力が完了すると（ステップＳ３３：ＹＥＳ）、順番管理端末２００は受付完了画面を表示する（ステップＳ３４）。受付完了画面には、受付番号（待ち番号）や、現時点での待ち時間等が表示される。また、順番券を受け取るよう促すメッセージが表示され、利用者は、順番管理端末２００に接続されたプリンタから印刷される順番券を受け取ることができる。
【００４１】
順番券には、受付番号と対応付けられた二次元コードが印刷されている。利用者が自身の携帯端末を利用して順番券に印刷された二次元コードを読み取ることで、携帯端末の表示装置に、利用者の現在の順番待ち状況（現状の待ち組数や予想待ち時間など）が表示される。また、利用者が、二次元コードを読み込むことによって表示される案内にしたがって電話番号やメールアドレスを入力することにより、順番が到来した際に電話またはメールによるメッセージを受信したり、順番が近づいたときにリマインドメッセージを受信したりすることができる。
【００４２】
確定した新規登録情報は、順番管理端末２００から通信ネットワークＮを介して順番管理サーバ１００に送信される（ステップＳ３５）。順番管理サーバ１００は、ある施設から新規登録情報を受信すると、受信した新規登録情報に基づいて、その施設の順番待ちリストに順番待ちを１組新たに追加する処理を行い、ステータス管理テーブルＴＡ２を更新する（ステップＳ３６）。
【００４３】
なお、利用者が自身の携帯端末から受付登録を行うこともできる。この場合、携帯端末で専用のウェブサイトにアクセスして利用したい施設（レストランＡ）を選択し、当該施設用の受付画面を表示させる。その後は、順番管理端末２００を用いて登録する場合と同様の手順で行うことができる。携帯端末を利用すれば、施設へ実際に行く前に自宅や外出先などから遠隔で受付登録を行うことができる。
【００４４】
（順番待ちリストの更新）
各施設の順番待ちリストの各レコードの内容は、施設の従業者が順番管理端末２００を用いて「取消」、「変更」、「呼出」、「案内」等の操作を行った際に更新される。「取消」は、順番待ちをキャンセルすることを意味し、「変更」は、いったん入力された順番待ちの内容を変更することを意味する。また、「呼出」は、順番が来た組を口頭で呼出したり、電話や呼出メールなどで知らせた状態であることを意味し、「案内」は、順番が来た組に対して実際に対応を開始した状態であることを意味する。
【００４５】
従業者は、順番管理端末２００に表示された順番待ちリストの中から、更新対象の順番待ち組を選択し、選択した順番待ち組に対して「呼出」、「取消」、「変更」のいずれかの更新操作を行う。更新対象の順番待ち組を特定する情報（例えば受付番号「１」）と更新操作の情報（例えば「呼出」）は、順番管理端末２００から通信ネットワークＮを介して順番管理サーバ１００にアップロードされる。順番管理サーバ１００は、受信した情報に基づき、当該施設の順番待ちリストを更新する。例えば、受付番号「１」に対して「呼出」操作を行った場合には、受付番号「１」の順番待ち組のステータスが「呼出中」に更新される。
【００４６】
（ＰＯＳサーバからのデータの利用）
次に、順番管理サーバ１００とＰＯＳサーバ３００との連携処理について、図４のシーケンス図を用いて説明する。
【００４７】
まず、順番管理サーバ１００は、定期的(例えば１分おき)にＰＯＳサーバ３００にＰＯＳデータの取得依頼を送信する（ステップＳ４１）。ＰＯＳサーバ３００が、ＰＯＳデータの取得依頼を受信すると、順番管理サーバ１００に現在のＰＯＳデータが送信される（ステップＳ４２）。
【００４８】
ＰＯＳデータには、例えば、施設毎の「座席番号」、「オーダー受付時間」、「オーダー情報」、「レジ情報」が含まれる。「オーダー受付時間」は、オーダーを受け付けた時刻であり、「オーダー情報」は、オーダーされた商品の情報である。「レジ情報」には、ＰＯＳレジ端末４００から会計が終了したタイミングで受信する会計終了時刻が記録される。
【００４９】
順番管理サーバ１００は、ＰＯＳデータを受信すると、「レジ情報」に会計の終了時間が記録されている座席番号、すなわち、会計が終了して空席（空き設備）となった座席番号を抽出する（ステップＳ４３）。
次に、順番管理サーバ１００は、当該施設の座席情報管理テーブルＴＡ３を参照し、ステップＳ４３で抽出した座席番号に対応するレコードを抽出し、席の種類と利用可能人数の情報を取得する（ステップＳ４４）。
【００５０】
次に、順番管理サーバ１００は、当該施設の順番待ちリストからステータスが「待ち中」のレコードを抽出する（ステップＳ４５）。さらに、順番管理サーバ１００は、ステップＳ４４で抽出した会計が終了した座席（空席）の「席の種類」および「利用可能人数」と、ステップＳ４５で抽出した各レコードの「待ち項目（席の種類）」および「人数」を比較する（ステップＳ４６）。
【００５１】
順番管理サーバ１００は、順番待ちリストから抽出したレコードの中から、「待ち項目」が空席の「席の種類」と一致し、且つ「人数」が空席の「利用可能人数」以下のレコードのうち、「受付時刻」が最も早い（もっとも登録順の早い）レコードを選択する（ステップＳ４７）。
【００５２】
次に、順番管理サーバ１００は、順番管理端末２００に表示される、施設の従業者が順番待ちリストの更新操作を行うためのステータス管理画面において、ステップＳ４７で選択したレコードの欄に、当該空席の座席番号と共にアラートを表示する（ステップＳ４８）。
【００５３】
図５は、ステータス管理画面を例示する図である。順番管理端末２００は、順番管理サーバ１００からステータス管理テーブルＴＡ２に登録されている順番待ちリストに含まれる情報を取得し、表示装置２１６にステータス管理画面を表示する。
【００５４】
図５に示すように、ステータス管理画面には、順番待ちリストに登録されている順番待ち組のステータス情報が受付をした順番で表示される。具体的には、順番待ち組の「受付番号」、「受付時間」、「人数」、「希望席種」、「ステータス」等が表示される。
【００５５】
さらに、図５に示すように、ステップＳ４７で選択されたレコードに対応する順番待ち組の行（図中、受付番号「２」の行）には、空席の座席番号（図中、「１３」）がアラート表示される。図５の例では、受付番号「２」の組よりも前に受付番号「１」の組が同じテーブル席希望で順番待ちを登録しているが、座席番号「１３」の席は、利用可能人数が「４」であるため、受付番号「２」の組が選択されている。このように、従業者は、ステータス管理画面を確認することにより、空いている席の情報とその席に案内すべき順番待ち組を確認することができる。
【００５６】
従業者は、対象の順番待ち組を座席に案内したら、当該順番待ち組のステータスを「案内済」に更新する。具体的には、ステータス管理画面上で、対応する順番待ち組の行をスワイプすると、指定した順番待ち組に対して「呼出」、「案内」、「取消」、「変更」のいずれかの操作を行うための操作ボタンが表示される。従業者が、表示された操作ボタンのうちの「案内」をタップすると、順番管理サーバ１００にステータス更新情報（更新対象のレコードを特定する情報（受付番号「２」）と更新操作内容（「案内」）が送信され、対応するレコードのステータスが「案内済」に更新される。
【００５７】
なお、空席に新たに順番待ち組が案内されると、例えば注文を取る従業者がＯＥＳ端末を操作することにより、ＰＯＳサーバ３００が管理するＰＯＳデータ（案内した座席についてのオーダー情報やレジ情報）も更新される。したがって、新たに案内された客が会計を済ませるまで、順番管理サーバ１００には当該座席は使用中と判断される。
【００５８】
以上のように、本実施形態によれば、順番管理サーバ１００がＰＯＳサーバ３００から定期的に会計が終了した座席（空席）の情報を取得し、空席の種類および利用可能人数と、順番待ちリスト中の各順番待ち組の希望席種および人数を照らし合わせ、受付順も考慮して、空席に案内するのに最適な順番待ち組を選択し、順番管理端末２００上で通知するようにした。これにより、従業者は、順番管理端末２００を確認するだけで、空席に最も適切な順番待ち組を案内することができる。このように、順番管理サーバ１００が、ＰＯＳサーバ３００が保持するデータを取得して順番待ちリストの情報との照合を行うという簡易な処理によって、従業者が、受付順を考慮しつつ空席に効率よく順番待ち客を案内できるように支援することができる。また、順番管理サーバ１００は、空席を確認したタイミングで、案内する順番待ち組の選択と順番管理端末２００上での通知を行うので、空席に待ち客が案内されず、いつまでも空いたままの状態になることを防止することができる。
【００５９】
なお、上記の実施形態では、順番管理サーバ１００はＰＯＳサーバ３００から取得したＰＯＳデータを利用しているが、利用するデータはＰＯＳデータに限られない。例えば、他の各種レジシステムから取得可能なレジデータなど、各座席の会計が終了していることが確認できるデータであればよい。また、上記の実施形態では、会計終了時刻によって会計の終了を判断しているが、その他、会計が完了していることを示す他の情報（売上金額等）を利用するようにしてもよい。
【００６０】
また、本発明は、上述のようなレストランにおける座席への案内以外にも、順番が到来した利用者にサービスを提供するための設備を割り当てるあらゆる施設での順番待ちに適用することができる。例えば、アミューズメント施設において指定したアトラクションに利用客を案内する場合や、旅行代理店、銀行、修理専門店などにおいて、指定した用件を扱う窓口に利用客を案内する場合などが挙げられる。また、設備（座席、アトラクション、窓口等）の利用が終了していること（空いていること）を確認するために、会計が済んでいるか否か以外の情報（アトラクションが終了したことを示す情報や、窓口での対応が完了したことを示す情報等）を利用してもよい。
【００６１】
また、上述のレストランの座席の例では、席の種類と利用人数を考慮して案内する順番待ち組を選択しているが、旅行代理店等の窓口の場合は、窓口の種類のみを考慮するだけでもよい。また、上述の例では、順番待ち組の人数が空席の利用可能人数以下の場合には、選択の対象としているが、より座席の利用効率を高くするために、人数の上限だけでなく下限も設定してもよい。例えば、空席が１０人まで利用可能な席である場合には、５人以上１０人以下の順番待ち組を選択するようにしてもよい。
【００６２】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。
【符号の説明】
【００６３】
１０００…情報処理システム
１００…順番管理サーバ
１１０…管理データベース
１２０…プロセッサ
２００…順番管理端末
２１０…プロセッサ
２１５…入力装置
２１５ａ…タッチパネル
２１６…表示装置
２２０…通信インタフェース
２３０…記憶資源
３００…ＰＯＳサーバ
３１０…プロセッサ
３２０…通信インタフェース
３３０…記憶資源
４００…ＰＯＳレジ端末
ＴＡ１…クライアント管理テーブル
ＴＡ２…ステータス管理テーブル
ＴＡ３…座席情報管理テーブル
Ｎ…通信ネットワーク
ＡＰ１…順番管理アプリケーション
【図１】
2019003435.tif 000003
【図２】
2019003435.tif 000004
【図３】
2019003435.tif 000005
【図４】
2019003435.tif 000006
【図５】
2019003435.tif 000007
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
施設における順番待ちを管理する情報処理システムであって、
順番待ちを登録した利用者の順番待ちのステータスを管理する順番管理サーバと、
順番が到来した利用者に対して割り当てる設備の利用状況の情報を含む設備状況データを管理する設備状況管理サーバと、を備え、
前記順番管理サーバは、
前記設備状況サーバから定期的に前記設備状況データを取得する設備状況データ取得部と、
前記設備状況データに基づいて、利用が終了した空き設備を抽出する空き設備抽出部と、
各順番待ち組が指定した設備の条件と、順番待ちの登録順に基づいて、前記空き設備を割り当てる順番待ち組を選択する順番待ち組選択部と、
選択された順番待ち組と割り当てる空き設備の組み合わせの情報を通知する通知部と、を備え、
前記通知部は、
前記施設の従業者が順番待ちのステータスを管理するために利用する、順番待ち組の一覧が表示された管理端末上で、前記選択された順番待ち組の欄に、前記割り当てる空き設備の情報を表示する、情報処理システム。
【請求項２】
前記設備の利用状況の情報は会計情報を含み、
前記空き設備抽出部は、
前記会計情報に基づいて、会計が終了した設備を抽出する、請求項１に記載の情報処理システム。
【請求項３】
前記順番待ち組選択部は、
登録されている順番待ち組の中から、指定した設備の種類が前記空き設備の種類と一致する順番待ち組のうち、登録順が最も早い順番待ち組を選択する、請求項１または２に記載の情報処理システム。
【請求項４】
前記順番待ち組選択部は、
登録されている順番待ち組の中から、指定した設備の種類が前記空き設備の種類と一致し、且つ各順番待ち組の人数が前記空き設備の利用可能人数以下である順番待ち組のうち、登録順が最も早い順番待ち組を選択する、請求項１から３のいずれか１項に記載の情報処理システム。
【請求項５】
施設における順番待ちを管理する順番管理装置であって、
順番待ちを登録した利用者の順番待ちのステータスを管理する順番待ち状況管理部と、
順番が到来した利用者に対して割り当てる設備の利用状況の情報を含む設備状況データを管理する設備状況管理サーバから、定期的に前記設備状況データを取得する設備状況データ取得部と、
前記設備状況データに基づいて、利用が終了した空き設備を抽出する空き設備抽出部と、
各順番待ち組が指定した設備の条件と、順番待ちの登録順に基づいて、前記空き設備を割り当てる順番待ち組を選択する順番待ち組選択部と、
選択された順番待ち組と割り当てる空き設備の組み合わせの情報を通知する通知部と、を備え、
前記通知部は、
前記施設の従業者が順番待ちのステータスを管理するために利用する、順番待ち組の一覧が表示された管理端末上で、前記選択された順番待ち組の欄に、前記割り当てる空き設備の情報を表示する、順番管理装置。
【請求項６】
施設における順番待ちを管理するコンピュータを、
順番待ちを登録した利用者の順番待ちのステータスを管理する順番待ち状況管理部と、
順番が到来した利用者に対して割り当てる設備の利用状況の情報を含む設備状況データを管理する設備状況管理サーバから、定期的に前記設備状況データを取得する設備状況データ取得部と、
前記設備状況データに基づいて、利用が終了した空き設備を抽出する空き設備抽出部と、
各順番待ち組が指定した設備の条件と、順番待ちの登録順に基づいて、前記空き設備を割り当てる順番待ち組を選択する順番待ち組選択部と、
選択された順番待ち組と割り当てる空き設備の組み合わせの情報を通知する通知部と、して機能させ、
前記通知部は、
前記施設の従業者が順番待ちのステータスを管理するために利用する、順番待ち組の一覧が表示された管理端末上で、前記選択された順番待ち組の欄に、前記割り当てる空き設備の情報を表示する、プログラム。